(57)【要約】【課題】スキュー調整範囲を絞り込むことにより、組み立て精度誤差の許容範囲を外れるディスクドライブユニットを排除する。【解決手段】ベース板１５と、光ディスク２に対して信号の記録又は再生を行う光ピックアップ２０と、光ピックアップ２０を光ディスク２の半径方向に移動可能に支持するガイド軸４２，４３と、ガイド軸４２，４３の両端部をベース板１５とで挟持する支持手段２４と、ガイド軸４２，４３の端部を高さ方向に付勢する付勢部材５６と、ガイド軸４２，４３の端部の支持位置を調節する調節部材５８と、付勢部材５６を保持する保持孔５３と、ガイド軸の端部４４，４５をガイドするガイドスリット５４と、保持孔５３に臨んで調節部材５８が挿通される挿通孔５７とからなる軸受け部５１とを有するスキュー調整手段５０と、ベース板１５及び支持手段２４との間に設けられ、スキュー調整手段５０による高さ方向へのガイド軸４２，４３の移動範囲を規制する規制部６０，６１とを有する【選択図】図１０
2005317133.tif 000002
【特許請求の範囲】
【請求項１】
ベース板と、
光ディスクを保持し、上記光ディスクを回転駆動するディスク回転駆動機構と、
光源から出射された光ビームを対物レンズによって上記光ディスクの信号記録面に収束させ、上記光ディスクで反射された戻りの光ビームを検出することにより上記光ディスクに対して信号の書き込み及び／又は読み出しを行う光ピックアップと、
上記ベース板の下面側に配設され、上記光ピックアップを光ディスクの半径方向にスライド可能に支持するガイド軸と、
上記ガイド軸の両端部を上記ベース板との間で挟持することにより上記ガイド軸を上記ベース板の下面側に支持する支持手段と、
上記ベース板の主面と略直交する方向の一方側から上記ガイド軸の端部に当接されると共に、上記ガイド軸の端部を上記ベース板の主面と直交する方向に付勢する付勢部材と、上記ベース板の主面と略直交する方向の他方側から上記ガイド軸の端部に当接されると共に、上記ガイド軸の端部を上記付勢部材が付勢する向きと反対側の向きに押圧し、上記ガイド軸の端部が支持される位置を調節する調節部材と、
上記付勢部材を保持する保持孔と、この保持孔に臨んで上記ガイド軸の端部が挿入されると共に上記ガイド軸の端部を上記ベース板の主面と直交する方向に移動可能にガイドするガイドスリットと、上記保持孔に臨んで上記調節部材が挿通される挿通孔とを有する軸受け部とを有するスキュー調整手段と、
上記ベース板と支持手段との間に設けられ、上記スキュー調整手段による上記ベース板の主面と略直交する方向への上記ガイド軸の移動範囲を規制する規制部とを有するディスクドライブユニット。
【請求項２】
上記規制部は、上記ベース板及び支持手段に設けられ、上記ガイド軸の移動範囲を上記ベース板の主面と略直交する一方及び他方から規制することを特徴とする請求項１記載のディスクドライブユニット。
【請求項３】
上記規制部は、上記スキュー調整手段の軸受け部に設けられ、上記ガイド軸の移動範囲を上記ベース板の主面と略直交する一方及び他方から規制すること特徴とする請求項１記載のディスクドライブユニット。
【請求項４】
上記ガイド軸は、軸部と、両端部に上記スキュー調整機構の軸受け部に形成されたガイドスリットに挿入される上記軸部よりも小径の挿入部が設けられ、
上記規制部は、上記ガイド軸の軸部に当接することにより上記ガイド軸の移動範囲を規制することを特徴とする請求項１乃至３の何れか一項記載のディスクドライブユニット。
【請求項５】
上記軸受け部及び規制部は、液晶ポリマーを用いて成形されていることを特徴とする請求項１記載のディスクドライブユニット。
【請求項６】
上記光ピックアップユニットは、光学ブロックの光軸補正が行われていることを特徴とする請求項１記載のディスクドライブユニット。
【請求項７】
上下一対のハーフからなる装置本体と、
上記装置本体の一側面より装置本体の内外に亘って光ディスクを搬送するディスク搬送手段と、
ベース板と、上記光ディスクを保持し、上記光ディスクを回転駆動するディスク回転駆動機構と、光源から出射された光ビームを対物レンズによって上記光ディスクの信号記録面に収束させ、上記光ディスクで反射された戻りの光ビームを検出することにより上記光ディスクに対して信号の書き込み及び／又は読み出しを行う光ピックアップと、上記ベース板の下面側に配設され、上記光ピックアップを光ディスクの半径方向にスライド可能に支持するガイド軸と、上記ガイド軸の両端部を上記ベース板との間で挟持することにより上記ガイド軸を上記ベース板の下面側に支持する支持手段と、上記ベース板の主面と略直交する方向の一方側から上記ガイド軸の端部に当接されると共に、上記ガイド軸の端部を上記ベース板の主面と直交する方向に付勢する付勢部材と、上記ベース板の主面と略直交する方向の他方側から上記ガイド軸の端部に当接されると共に、上記ガイド軸の端部を上記付勢部材が付勢する向きと反対側の向きに押圧し、上記ガイド軸の端部が支持される位置を調節する調節部材と、上記付勢部材を保持する保持孔と、この保持孔に臨んで上記ガイド軸の端部が挿入されると共に上記ガイド軸の端部を上記ベース板の主面と直交する方向に移動可能にガイドするガイドスリットと、上記保持孔に臨んで上記調節部材が挿通される挿通孔とを有する軸受け部とを有するスキュー調整手段と、上記ベース板及び支持手段との間に設けられ、上記スキュー調整手段による上記ベース板の主面と略直交する方向への上記ガイド軸の移動範囲を規制する規制部とを有するディスクドライブユニットとを備えるディスク記録及び／又は再生装置。
【請求項８】
上記規制部は、上記ベース板及び支持手段に設けられ、上記ガイド軸の移動範囲を上記ベース板の主面と略直交する一方及び他方から規制することを特徴とする請求項７記載のディスク記録及び／又は再生装置。
【請求項９】
上記規制部は、上記スキュー調整手段の軸受け部に設けられ、上記ガイド軸の移動範囲を上記ベース板の主面と略直交する一方及び他方から規制すること特徴とする請求項７記載のディスク記録及び／又は再生装置。
【請求項１０】
上記ガイド軸は、軸部と、両端部に上記スキュー調整機構の軸受け部に形成されたガイドスリットに挿入される上記軸部よりも小径の挿入部が設けられ、
上記規制部は、上記ガイド軸の軸部に当接することにより上記ガイド軸の移動範囲を規制することを特徴とする請求項７乃至９の何れか一項記載のディスク記録及び／又は再生装置。
【請求項１１】
上記軸受け部及び規制部は、液晶ポリマーを用いて成形されていることを特徴とする請求項７記載のディスク記録及び／又は再生装置。
【請求項１２】
上記光ピックアップユニットは、光学ブロックの光軸補正が行われていることを特徴とする請求項７記載のディスク記録及び／又は再生装置。
【発明の詳細な説明】
【技術分野】
【０００１】
本発明は、光ディスクに対する光ピックアップの傾きを補正するためのスキュー調整機構を有するディスクドライブユニット及びこのディスクドライブユニットを備えるディスクドライブ装置に関する。
【背景技術】
【０００２】
光ディスクとしては、従来よりＣＤ(Compact Disk)やＤＶＤ(Digital Versatile Disk)といった光ディスク、ＭＯ(Magneto optical)やＭＤ(Mini Disk)等の光磁気ディスクが広く知られており、これらディスクやディスクカートリッジ等に対応した各種のディスク記録及び／又は再生装置が登場している。
【０００３】
例えば図１２に示すように、光ディスクに対して情報信号の記録又は再生を行うディスク記録及び／又は再生装置のディスクドライブユニット２００は、光ディスクを回転駆動するディスク回転駆動機構２０１と、このディスク回転駆動機構２０１により回転駆動される光ディスクに対して信号の書き込み又は読み出し動作を行う光ピックアップ２０２と、この光ピックアップ２０２を光ディスクの半径方向に送り動作させるピックアップ送り機構２０３とを備え、これらがベース２０４に取り付けられた構造を有している。
【０００４】
ディスク回転駆動機構２０１は、光ディスクを保持するターンテーブル２０５が設けられた扁平状のスピンドルモータ２０６を有しており、このスピンドルモータ２０６が光ディスクをターンテーブル２０５と一体に回転駆動する。
【０００５】
光ピックアップ２０２は、半導体レーザから出射された光ビームを対物レンズ２０７で集光させて光ディスクの信号記録面に照射し、この光ディスクの信号記録面で反射された戻りの光ビームを光検出器で検出することによって、光ディスクに対して信号の書き込み又は読み出しを行う。
【０００６】
ピックアップ送り機構２０３は、光ピックアップ２０２を光ディスクの半径方向に移動可能に支持する一対のガイド軸２０８ａ，２０８ｂと、光ピックアップ２０２に取り付けられたラック部材２０９と、このラック部材２０９と噛合されるリードスクリュー２１０と、このリードスクリュー２１０を回転駆動するステッピングモータ２１１とを有しており、このステッピングモータ２１１がリードスクリュー２１０を回転駆動しながら、リードスクリュー２１０と噛合されたラック部材２０９を光ピックアップ２０２と共に光ディスクの半径方向に変位駆動する。
【０００７】
ベース２０４には、ターンテーブル２０５が臨むテーブル用開口部２１２ａと光ピックアップ２０２が臨むピックアップ用開口部２１２ｂとが連続形成されており、これら開口部２１２ａ，２１２ｂからターンテーブル２０５及び光ピックアップ２０２が臨む側の主面とは反対側の主面に、スピンドルモータ２０６や、一対のガイド軸２０８ａ，２０８ｂの両端部、リードスクリュー２１０、ステッピングモータ２１１等が取り付けられている。
【０００８】
以上のように構成されるディスク記録及び／又は再生装置のディスクドライブユニット２００では、ディスク回転駆動機構２０１が光ディスクを回転駆動し、ピックアップ送り機構２０３が光ピックアップ２０２を光ディスクの半径方向に送り動作しながら、光ピックアップ２０２が光ディスクに対して信号の書き込み又は読み出し動作を行うことで、光ディスクの所望の記録トラックに対する情報信号の記録又は再生が行われる。
【０００９】
ところで、上述したディスクドライブユニット２００では、光ディスクの更なる高記録密度化に対応するため、光ピックアップ２０２から光ディスクに照射される光ビームの波長を短くしたり、対物レンズ２０７の開口数を大きくしたりすることが行われている。しかしながら、光ディスクに照射される光ビームの波長を短くし、対物レンズ２０７の開口数を高くすると、光ディスクの信号記録面に対して光ピックアップ２０２から照射される光ビームの光軸が傾くこと（以下、スキューという。）によって収差の発生が大きくなり、記録再生特性の大幅な悪化を招くことになる。すなわち、ディスクドライブユニット２００では、光ディスクの高記録密度化に対応するほど、上述したスキューに対する許容範囲が狭くなる。したがって、光ディスクに対する良好な記録再生特性を得るためには、光ピックアップ２０２の対物レンズにより集光された光ビームをターンテーブル２０５に保持された光ディスクの信号記録面に対して垂直に照射する必要がある。
【００１０】
このような光ディスクに対する光ピックアップ２０２の傾きを補正する方法としては、スピンドルモータ２０６のベース２０４に対する取付角度を調整する方法（例えば、特許文献１を参照。）や、光ピックアップ２０２を支持する一対のガイド軸２０８ａ，２０８ｂの傾きを調整する方法（例えば、特許文献２を参照。）等がある。
【００１１】
上述したディスクドライブユニット２００では、例えば図１３に示すようなスキュー調整機構２２０を介して一対のガイド軸２０８ａ，２０８ｂの両端部がベース２０４の下面に取り付けられている。
【００１２】
このスキュー調整機構２２０は、一対のガイド軸２０８ａ，２０８ｂの両端部をベース２０４の主面と直交する方向に移動可能に支持し、各ガイド軸２０８ａ，２０８ｂの端部が支持される位置をそれぞれ独立して調節することで、これらガイド軸２０８ａ，２０８ｂの傾きを調整可能としたものである。
【００１３】
具体的に、このスキュー調整機構２２０は、図１３及び図１４に示すように、一対のガイド軸２０８ａ，２０８ｂの端部を支持する軸受部材２２１を備え、この軸受部材２２１には、コイルバネ２２２を保持する保持孔２２３と、この保持孔２２３に臨んでガイド軸２０８ａ，２０８ｂの端部２０８ｃが挿入されるガイドスリット２２４とが設けられている。保持孔２２３は、軸受部材２２１を厚み方向に貫通しており、コイルバネ２２２は、この保持孔２２３の内部にベース２０４とガイド軸２０８ａ，２０８ｂの端部２０８ｃとの間に圧縮された状態で配置されている。ガイドスリット２２４は、軸受部材２２１を厚み方向に切り欠くことによって、ガイド軸２０８ａ，２０８ｂの端部２０８ｃをベース２０４の主面と直交する方向に移動可能に案内する。一方、ガイド軸２０８ａ，２０８ｂは、図１５に示すように、ガイドスリット２２４に挿入される端部２０８ｃが当該ガイド軸の軸中心Ｓ’に対して同心円状に細く削られた形状を有している。また、図１３及び図１４に示すように、ベース２０４との間で軸受部材２２１を挟み込む支持板２２５には、調整ネジ２２６を螺合するためのネジ孔２２７が保持孔２２３に臨んで形成されている。調整ネジ２２６は、ネジ孔２２７に螺合された状態で、その先端部がコイルバネ２２２と相対向する位置からガイド軸２０８ａ，２０８ｂの端部２０８ｃと当接される。
【００１４】
したがって、このスキュー調整機構２２０では、調整ネジ２２６の捻じ込み量を調整することで、保持孔２２３に保持されたコイルバネ２２２の圧縮状態を変化させることができる。これより、各ガイド軸２０８ａ，２０８ｂの端部２０８ｃが支持される位置を調整しながら、光ピックアップ２０２をベース２０４の主面に対して厚さ方向に移動させ、対物レンズ２０７により集光される光ビームが光ディスクの信号記録面に垂直に照射されるように、各ガイド軸２０８ａ，２０８ｂの傾きを調整することが可能となっている。
【００１５】
また、このようなスキュー調整機構２２０においては、ベース２０４に組み付けられるスピンドルモータ２０６のスピンドル軸やターンテーブル２０５の取り付け精度、あるいは光ピックアップ２０２に形成された対物レンズ２０７等の光学系の組み立て精度を考慮し、ディスクドライブユニット２００を構成する各部材の取り付け誤差の合計を概ね±０．４ｍｍ程度としてスキューマージンを確保している。すなわち、スキュー調整機構２２０は、軸受部材２２１に挿入されるガイド軸２０８ａ，２０８ｂがベース２０４の厚さ方向に移動可能な範囲として、設計位置から±０．４ｍｍ程度のマージンを確保している。したがって、ディスクドライブユニット２００は、ベース２０４に組み付けられるスピンドルモータ２０６のスピンドル軸やターンテーブル２０５あるいは光ピックアップ２０２の光学系等に製作上の誤差や組み付け誤差が発生している場合にも、その誤差が設計値よりも±０．４ｍｍ以内であれば、光ディスクの信号記録面に対する光ビームの光軸の傾きをゼロに補正することができる。
【００１６】
また、近年の光ディスクの高記録密度化による記録トラックの狭ピッチ化、ピットの狭小化等に伴い、スキュー調整を光ディスクの記録又は再生時にリアルタイムで行うものがある。この種の光ピックアップにおいては、光ピックアップの光学系に対して独立してスキュー調整が行われる（特許文献３参照）。
【００１７】
このスキュー調整方法においては、光ピックアップ２０２の光学系に対して予めスキュー調整を行うことにより、ベース２０４に組み付けられる前に光ピックアップ２０２は光ディスクに対する光軸の傾きが補正されているため、光ピックアップ２０２がベース２０４に取り付けられた後に行うディスクドライブユニット２００のスキュー調整において、光ピックアップ２０２を含むディスクドライブユニット２００の構成部材の取り付け誤差を合計±０．４ｍｍ程度としてスキューマージンを取ると、光ピックアップ２０２の光軸系を除いたディスクドライブユニット２００の各構成部材に対して許容される誤差が広がってしまう。したがって、組み立て精度の許容範囲を超えた精度のディスクドライブユニット２００が排除されない。特に、ハードディスクドライブ（ＨＤＤ）ユニットと同等の厚みである９．５ｍｍまで装置全体を薄型化した場合には、光ピックアップ２０２をガイド軸２０８ａ，２０８ｂに沿って光ディスクの径方向に移動させると光ピックアップ２０２と光ディスク、又はディスク記録及び／又は再生装置の底面部とが摺接する危険性が高まる。
【００１８】
【特許文献１】特開２００２−１７１７０９号公報
【特許文献２】特開２００１−２２２８２３号公報
【特許文献３】特開２００４−３９０２４号公報
【発明の開示】
【発明が解決しようとする課題】
【００１９】
そこで、本発明は予め光軸補正が行われた光ピックアップが組み付けられたディスクドライブユニットのスキュー調整において調整範囲を絞り込むことにより最適なスキュー調整がされたディスクドライブユニット及びこのディスクドライブユニットを用いたディスク記録及び／又は再生装置を提供することを目的とする。                            
【課題を解決するための手段】
【００２０】
上述した課題を解決するために、本発明にかかるディスクドライブユニットは、ベース板と、光ディスクを保持し、上記光ディスクを回転駆動するディスク回転駆動機構と、光源から出射された光ビームを対物レンズによって上記光ディスクの信号記録面に収束させ、上記光ディスクで反射された戻りの光ビームを検出することにより上記光ディスクに対して信号の書き込み及び／又は読み出しを行う光ピックアップと、上記ベース板の下面側に配設され、上記光ピックアップを光ディスクの半径方向にスライド可能に支持するガイド軸と、上記ガイド軸の両端部を上記ベース板との間で挟持することにより上記ガイド軸を上記ベース板の下面側に支持する支持手段と、上記ベース板の主面と略直交する方向の一方側から上記ガイド軸の端部に当接されると共に、上記ガイド軸の端部を上記ベース板の主面と直交する方向に付勢する付勢部材と、上記ベース板の主面と略直交する方向の他方側から上記ガイド軸の端部に当接されると共に、上記ガイド軸の端部を上記付勢部材が付勢する向きと反対側の向きに押圧し、上記ガイド軸の端部が支持される位置を調節する調節部材と、上記付勢部材を保持する保持孔と、この保持孔に臨んで上記ガイド軸の端部が挿入されると共に上記ガイド軸の端部を上記ベース板の主面と直交する方向に移動可能にガイドするガイドスリットと、上記保持孔に臨んで上記調節部材が挿通される挿通孔とを有する軸受け部とを有するスキュー調整手段と、上記ベース板及び支持手段との間に設けられ、上記スキュー調整手段による上記ベース板の主面と略直交する方向への上記ガイド軸の移動範囲を規制する規制部とを有するものである。
【００２１】
また、本発明にかかるディスク記録及び／又は再生装置は、上下一対のハーフからなる装置本体と、上記装置本体の一側面より装置本体の内外に亘って光ディスクを搬送するディスク搬送手段と、ベース板と、上記光ディスクを保持し、上記光ディスクを回転駆動するディスク回転駆動機構と、光源から出射された光ビームを対物レンズによって上記光ディスクの信号記録面に収束させ、上記光ディスクで反射された戻りの光ビームを検出することにより上記光ディスクに対して信号の書き込み及び／又は読み出しを行う光ピックアップと、上記ベース板の下面側に配設され、上記光ピックアップを光ディスクの半径方向にスライド可能に支持するガイド軸と、上記ガイド軸の両端部を上記ベース板との間で挟持することにより上記ガイド軸を上記ベース板の下面側に支持する支持手段と、上記ベース板の主面と略直交する方向の一方側から上記ガイド軸の端部に当接されると共に、上記ガイド軸の端部を上記ベース板の主面と直交する方向に付勢する付勢部材と、上記ベース板の主面と略直交する方向の他方側から上記ガイド軸の端部に当接されると共に、上記ガイド軸の端部を上記付勢部材が付勢する向きと反対側の向きに押圧し、上記ガイド軸の端部が支持される位置を調節する調節部材と、上記付勢部材を保持する保持孔と、この保持孔に臨んで上記ガイド軸の端部が挿入されると共に上記ガイド軸の端部を上記ベース板の主面と直交する方向に移動可能にガイドするガイドスリットと、上記保持孔に臨んで上記調節部材が挿通される挿通孔とを有する軸受け部とを有するスキュー調整手段と、上記ベース板及び支持手段との間に設けられ、上記スキュー調整手段による上記ベース板の主面と略直交する方向への上記ガイド軸の移動範囲を規制する規制部とを有するディスクドライブユニットとを備えるものである。
【発明の効果】
【００２２】
このようなディスクドライブユニット及びディスク記録及び／又は再生装置によれば、スキュー調整手段によるベース板の主面と直交する方向への調整範囲は、ベース板及び支持手段との間に設けられた規制部により、設計上の初期位置を中心とした一定の範囲とされているため、この範囲を超えてスキュー高さの調整が必要となるディスクドライブユニットは光軸補正を行うことができなくさせ、排除することができる。
【発明を実施するための最良の形態】
【００２３】
以下、本発明にかかるディスクドライブユニット及びディスク記録及び／又は再生装置について図面を参照しながら詳細に説明する。
【００２４】
本発明を適用したディスクドライブ装置１は、図１に示すように、例えばノート型パーソナルコンピュータ１００の装置本体１０１に搭載されるものであり、図２及び図３に示すように、ハードディスクドライブ（ＨＤＤ）装置と同等の厚みである、例えば９．５ｍｍ程度にまで装置全体が薄型化された構造を有しており、ＣＤ(Compact Disk)やＤＶＤ(Digital Versatile Disk)といった光ディスク２に対して情報信号の記録又は再生を行うことが可能となっている。
【００２５】
具体的に、このディスクドライブ装置１は、図２，図３及び図４に示すように、ドライブ本体の外筐となる筐体３と、この筐体３の前面に設けられたトレイ出入口３ａから水平方向に出し入れされるディスクトレイ４と、このディスクトレイ４に取り付けられたドライブ本体を構成するベースユニット５とを備えている。
【００２６】
筐体３は、全体が略扁平箱状に形成された板金からなるボトムシャーシ６に、その上面部を覆うように同じく板金からなるカバー体７がネジ止めによって取り付けられた構造を有している。筐体３は、その前面が上記トレイ出入口３ａとして開放されており、内部にディスクトレイ４を収納するための収納空間が形成されている。また、ボトムシャーシ６には、ドライブ本体における各部の駆動制御を行う駆動制御回路や、上記ノート型パーソナルコンピュータ１００の装置本体１０１との電気的な接続を図るコネクタ等が取り付けられた回路基板（図示せず。）等が配置されている。
【００２７】
ディスクトレイ４は、全体が略矩形扁平状に形成された樹脂成形材料からなり、その上面部には、光ディスク２に対応した形状の凹部８が設けられている。この凹部８の底面部には、ディスクトレイ４の下面に取り付けられたベースユニット５を上方へと臨ませる開口部９が形成されている。また、この開口部９から臨むベースユニット５には、図３に示すように、開口部９を覆う化粧板１０が取り付けられている。この化粧板１０には、後述するベースユニット５のスピンドルモータ２３及び光ピックアップ２０を上方へと臨ませる開口部１８ａ，１８ｂに対応した開口部１０ａが形成されている。
【００２８】
このディスクトレイ４は、その両側面とボトムシャーシ６の内側面との間に介在されるガイドレール機構１１によって、図３に示すトレイ出入口３ａから筐体３の外部へと引き出される引出位置と、図２に示すトレイ出入口３ａから筐体３の内部へと引き込まれて収納される収納位置との間でスライド可能に支持されている。このディスクトレイ４の前面には、筐体３のトレイ出入口３ａを開閉する蓋体となる略矩形平板の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４等が設けられている。
【００２９】
なお、このディスクトレイ４は、筐体３に収納された際に、図示しないロック機構によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００３０】
ベースユニット５は、ディスクドライブ本体を構成し、光ディスク２を回転駆動すると共に光ディスク２に対して情報信号の書き込み及び読み出しを行うものであり、ユニット本体となるベース１５と、光ディスク２を保持し回転駆動するディスク回転駆動機構１９と、このディスク回転駆動機構１９により回転駆動される光ディスク２に対して信号の書き込み又は読み出しを行う光ピックアップ２０と、この光ピックアップ２０を光ディスク２の半径方向に送り動作させるピックアップ送り機構２１、及び光ピックアップ２０のスキュー調整を行うスキュー調整機構５０とを備える。そして、ベースユニット５は、これら各構成部材がベース１５の下面に取り付けられた超薄型構造を有している。
【００３１】
ベース１５は、図４及び図５に示すように、板金を所定の形状に打ち抜き、その周囲を僅かに下方に折り曲げてなる。また、ベース１５は、この下方に折り曲げられた端縁部から、３つのインシュレータ取付部１６が外側に向かって折り曲げ形成されている。各インシュレータ取付部１６には、振動等を吸収するためのゴム等の弾性部材からなるインシュレータ１７が取り付けられている。ベース１５は、これらインシュレータ１７を介してディスクトレイ４の下面に設けられた支軸に支持されている。ベース１５の主面には、後述するターンテーブル２２を上方へと臨ませる略半円状のテーブル用開口部１８ａと、後述する光ピックアップ２０を上方へと臨ませる略矩形状のピックアップ用開口部１８ｂとが連続して形成されている。
【００３２】
ディスク回転駆動機構１９は、光ディスク２を保持するターンテーブル２２が上面に設けられた扁平状のスピンドルモータ２３を有し、このスピンドルモータ２３が支持板２４に支持された構造を有している。具体的に、このスピンドルモータ２３は、支持板２４に貼り合わされたプリント配線基板上に薄膜コイルがパターン形成されたステータと、このステータと対向するマグネットが内部に取り付けられ、上面にターンテーブル２２が設けられたロータとを有し、薄膜コイルに流れる電流によって発生する磁界とマグネットとの電磁気的な作用によりロータが回転駆動するようになされている。また、この支持板２４は、スピンドルモータ２３を回転駆動するための駆動制御回路が形成された回路基板が搭載されている。
【００３３】
ターンテーブル２２の中心部には、光ディスク２を保持するためのチャッキング機構２５が設けられている。このチャッキング機構２５は、光ディスク２の中心孔２ａに係合されるセンタリング部２６と、このセンタリング部２６に係合された光ディスク２の中心孔２ａの周囲を係止する複数の係止爪２７とを有し、ターンテーブル２２に装着された光ディスク２のセンタリングを行いながら、この光ディスク２をターンテーブル２２上に保持する。そして、このディスク回転駆動機構１９では、スピンドルモータ２３が光ディスク２をターンテーブル２２と一体に線速度一定又は角速度一定で回転駆動することになる。
【００３４】
なお、スピンドルモータ２３を支持する支持板２４は、ベース１５にビス止めされることにより、後述するスキュー調整機構５０の軸受部材５１をベース１５の下面側及び支持板２４との間に挟持している。
【００３５】
光ピックアップ２０は、図５に示すように、略矩形状に形成されたピックアップベース２８と、ピックアップベース２８に取り付けられ光源となる半導体レーザから出射された光ビームを集光させて光ディスク２の信号記録面に照射する対物レンズ２０ａと、この光ディスク２の信号記録面で反射された戻りの光ビームを受光素子等からなる光検出器により検出する光学ブロックとを有し、光ディスク２に対する信号の書き込み又は読み出しを行うようになされている。
【００３６】
また、この光ピックアップ２０は、対物レンズ２０ａを当該対物レンズ２０ａの光軸方向（フォーカッシング方向）と当該対物レンズ２０ａの光軸方向と直交する方向（トラッキング方向）とに変位駆動する二軸アクチュエータ（図示せず。）を有している。そして、この光ピックアップ２０では、上述した光検出器により検出された光ディスク２からの検出信号に基づいて、二軸アクチュエータにより対物レンズ２０ａをフォーカッシング方向及びトラッキング方向に変位させながら、光ディスク２の信号記録面上に対物レンズ２０ａの焦点を合わせるフォーカスサーボや、対物レンズ２０ａにより集光される光ビームのスポット位置を常に記録トラック上に位置させるトラッキングサーボ等の駆動制御を行っている。
【００３７】
光ピックアップ２０のピックアップベース２８には、光ピックアップ２０の移動をガイドする一対のガイド軸４２，４３に支持されるガイド片３３，３４が、互いに対向する側面に逆向きに突出形成されている。ガイド片３３は、光ピックアップ２０の移動方向の前後に離間して設けられ、後述する一方のガイド軸４２が挿通されるガイド孔３３ａが形成されている。またガイド片３４は、他方のガイド軸４３を挟み込むガイド溝３４ａが形成されている。したがって、このピックアップベース２８は、一対のガイド軸４２，４３に沿ってスライド可能となっている。
【００３８】
また、光ピックアップ２０は、組み立て時において半導体レーザ等の発光素子や光検出器、対物レンズ２０ａ等の光学ブロックに対して、独自に光軸補正が行われる。したがって、ベースユニット５は、光ピックアップ２０の光学系に関して組み立て精度誤差に基づくスキューマージンは考慮する必要がない。
【００３９】
ピックアップ送り機構２１は、図５及び図６に示すように、光ピックアップ２０を光ディスク２の半径方向にスライド可能に支持するガイド機構３９と、このガイド機構３９に支持された光ピックアップ２０を光ディスク２の半径方向に変位駆動する変位駆動機構４０とを有している。
【００４０】
ガイド機構３９は、上記光ピックアップ２０が搭載されたピックアップベース２８を光ディスク２の半径方向にスライド可能に支持する一対のガイド軸４２，４３を有している。このガイド軸４２，４３は、ターンテーブル２２上に載置された光ディスク２の径方向に沿って平行に配設され、ピックアップベース２８を移動可能に支持することにより光ピックアップ２０の光ディスクの径方向に亘る移動をガイドする。
【００４１】
またガイド軸４２，４３は、全体が略円柱状の丸棒であり、その両端部４２ａ，４３ａには、後述するスキュー調整機構５０の軸受部材５１に挿入される小径の挿入軸４４，４５が突設されている。この挿入軸４４，４５が設けられた両端部４２ａ，４３ａは、ピックアップベース２８を支持するガイド軸４２，４３の軸本体よりも細く削られた段付き形状とされ、両端面より軸方向に向かって同軸の挿入軸４４，４５が突出形成されている。
【００４２】
挿入軸４４，４５は、ガイド軸４２，４３の軸本体よりも小径に形成された略円柱状の丸棒であり、ガイド軸４２，４３の軸本体と同軸に形成されている。なお、挿入軸４４，４５には、図７に示すように、ガイドスリット５４の内側面と摺接される一対の摺接面４４ａ，４５ａを形成してもよい。これら一対の摺接面４４ａ，４５ａは、ガイドスリット５４の内側面と摺接される挿入軸４４，４５の外周部を、挿入軸４４，４５がガイドスリット５４の内側面を摺動する方向に切り欠いて形成されている。また、これら一対の摺接面４４ａ，４５ａは、挿入軸４４，４５の先端からガイドスリット５４に挿入される軸線方向の範囲に亘って平坦化されている。
【００４３】
また、ガイド軸４２は、ピックアップベース２８の一対のガイド片３３に形成されたガイド孔３３ａを挿通している。また、ガイド軸４３は、ピックアップベース２８のガイド片３４に形成されたガイド溝３４ａに摺動自在に挟持されている。また一対のガイド軸４２，４３は、ベース１５の下面に位置して、光ディスク２の半径方向と互いに平行となるように配置されており、ベース１５のピックアップ用開口部１８ｂから対物レンズ２０ａが臨むピックアップベース２８を光ディスク２の内外周に亘って案内する。また、これら一対のガイド軸４２，４３の両端部は、それぞれベース１５の下面にスキュー調整機構５０を介して取り付けられている。
【００４４】
変位駆動機構４０は、図５，図６及び図８に示すように、ピックアップベース２８に取り付けられたラック部材４６と、このラック部材４６と噛合されるリードスクリュー４７と、このリードスクリュー４７を回転駆動する駆動モータ４８とを有している。
【００４５】
ラック部材４６は、その基端側がピックアップベース２８の一対のガイド片３３の間に位置してネジ止めにより取り付けられ、その先端側に一方のガイド軸４２と平行に配置されたリードスクリュー４７と噛合されるラック部４６ａが一体に形成されている。リードスクリュー４７は、駆動モータ４８の駆動軸と一体に形成されており、その外周面には、上記ラック部材４６のラック部４６ａが噛合される螺旋状のネジ溝が形成されている。駆動モータ４８は、いわゆるステッピングモータであり、駆動パルスに応じてリードスクリュー４７を回転駆動する。また、これらリードスクリュー４７及び駆動モータ４８は、ベース１５の下面にネジ止めによって取り付けられたブラケット４９に支持されている。このブラケット４９は、長尺状の板金の両端部が同一方向に直角に折り曲げられた形状を有しており、その折り曲げられた一端側にリードスクリュー４７を貫通させた状態で駆動モータ４８が固定される一方、他端に設けられた軸孔にリードスクリュー４７の先端が軸支されることによって、リードスクリュー４７を回転可能に支持している。
【００４６】
ピックアップ送り機構２１では、駆動モータ４８がリードスクリュー４７を回転駆動しながら、リードスクリュー４７のネジ溝とラック部４６ａとの噛合によりラック部材４６をリードスクリュー４７の軸線方向に変位させる。これにより、光ピックアップ２０がピックアップベース２８と一体に一対のガイド軸４２，４３に沿った方向、すなわち光ディスク２の半径方向に送り動作される。
【００４７】
次いで、一対のガイド軸４２，４３の傾きを調整することによりこれらガイド軸４２，４３に支持されている光ピックアップ２０の光軸を補正するスキュー調整機構５０について説明する。
【００４８】
スキュー調整機構５０は、一対のガイド軸４２，４３の両端部４２ａ，４３ａをベース１５の主面と直交する方向に移動可能に支持し、各ガイド軸４２，４３の端部４２ａ，４３ａが支持される位置をそれぞれ独立して調節することで、これらガイド軸４２，４３の傾きを調整し、光ピックアップ２０の光軸調整を可能としたものである。
【００４９】
具体的に、このスキュー調整機構５０は、図９及び図１０に示すように、一対のガイド軸４２，４３の各両端部４２ａ，４３ａに突出形成された挿入軸４４，４５が挿入され、ガイド軸４２，４３を支持する軸受部材５１を備えている。軸受部材５１は、ベース１５のピックアップ用開口部１８ｂ近傍で、光ディスク２の内周側及び外周側に、ガイド軸４２の両端部４２ａを支持する第１及び第２の軸受部材５１ａ，５１ｂと、ガイド軸４３の両端部を支持する第３及び第４の軸受部材５１ｃ，５１ｄが設けられている。これらガイド軸４２，４３の内周側端部を支持する第１及び第３の軸受部材５１ａ，５１ｃは、ベース１５の下面側と上述した支持板２４との間に挟持され、支持板２４側からベース１５側へビス３８が挿通されることによりベース１５の下面部に固定されている。またガイド軸４２，４３の外周側端部を支持する第２及び第４の軸受部材５１ｂ，５１ｄは、ベース１５の下面側と第２の支持板５２，５２との間に挟持され、この第２の支持板５２側からベース１５側へビス３８が挿通されることによりベース１５の下面部に固定されている。
【００５０】
具体的に、軸受部材５１には、金型を用いて樹脂成形材料を射出成形することによって、所定の厚みで高精度に形成されたものを用いている。この樹脂成形材料としては、熱収縮率が低く且つ剛性の高い液晶ポリマー等が好適である。これにより軸受部材５１ａ，５１ｃは、図９に示すように、ベース１５に対するターンテーブル２２の高さ方向の位置決めを高精度に行うと共に、ベース１５とターンテーブル２２との平行度を高精度に維持することができる。
【００５１】
この軸受部材５１は、付勢部材となるコイルバネ５６を保持するとともにガイド軸４２，４３の端部４２ａ，４３ａに形成された挿入軸４４，４５が挿入される保持孔５３と、この保持孔５３に臨んで挿入軸４４，４５の上下方向への移動をガイドするガイドスリット５４とが設けられている。
【００５２】
保持孔５３は、軸受部材５１を厚み方向に貫通する略円形状の孔部である。一方、この保持孔５３の内部に保持されるコイルバネ５６は、略円錐状に形成されており、径の大きい方をベース１５側とし、径の小さい方をガイド軸４２，４３側として、ベース１５とガイド軸４２，４３の端部４２ａ，４３ａから突出形成された挿入軸４４，４５との間に圧縮された状態で配置されている。したがって、このコイルバネ５６は、ベース１５の主面と直交する方向の一方側から挿入軸４４，４５に当接されると共に、この挿入軸４４，４５をベース１５の主面と直交する方向（ベース１５から離間する方向）に付勢することになる。
【００５３】
また、この略円錐状のコイルバネ５６は、径の大きい方の内側に径の小さい方が入り込みながら圧縮されるため、圧縮された際の高さ方向の寸法を抑えることが可能であり、スキュー調整機構５０の薄型化に寄与している。なお、付勢部材としては、このようなコイルバネ５６や板バネ等のバネ部材の他にも、例えば中空円筒状に形成されたシリコンゴム等の弾性部材を用いることも可能である。
【００５４】
また、保持孔５３は、ベース１５側に開口部５３ａが設けられている。開口部５３ａは、軸受部材５１がベース１５と支持板２４，５２に挟持されることによりベース１５に開口された注入孔と連続される。そして、保持孔５３は、スキュー調整機構５０によって最適なスキュー高さに調整された後、開口部５３ａより接着剤が注入されることにより当該最適なスキュー高さに固定される。また、保持孔５３は、支持板２４，５２側にも開口部５３ｂが設けられている。開口部５３ｂは、軸受部材５１がベース１５と支持板２４，５２に挟持されることにより支持板２４，５２に開口されたネジ孔５７と連続される。そして保持孔５３は、支持板２４，５２に開口されたネジ孔５７及び開口部５３ｂより挿入軸４４，４５に当接されるスキュー調整ネジ５８が挿通され、挿入軸４４，４５の傾き調整が行われる。
【００５５】
ガイドスリット５４は、ガイド軸４２，４３の端部４２ａ，４３ａに形成された小径の挿入軸４４，４５の長さに合わせて軸受部材５１を厚み方向に切り欠くように直線状に形成されており、挿入されたガイド軸４２，４３の挿入軸４４，４５をベース１５の主面と直交する方向、すなわちベース１５の主面と近接又は離間する方向に案内する。また、ガイドスリット５４は、保持孔５３に臨まされ、挿入軸４４，４５を保持孔５３内に挿通させる。
【００５６】
このようなスキュー調整機構５０は、軸受部材５１がベース１５及び支持板２４，５２に挟持され、ビス３８によって固定されると共に、ガイドスリット５４より保持孔５３をガイド軸４２，４３の挿入軸４４，４５が挿入され、ガイド軸４２，４３を支持する。軸受部材５１内に挿入された挿入軸４４，４５は、保持孔５３内のベース１５側に予めコイルバネ５６が配設され、また支持板２４，５２に開口されたネジ孔５７よりスキュー調整ネジ５８が保持孔５３内に挿入されることにより、コイルバネ５６の小径の先端部とスキュー調整ネジ５８の先端部に挟持される。
【００５７】
そして、スキュー調整ネジ５８のねじ込み量を調整することにより光ピックアップ２０のスキュー調整を行うことができる。すなわち、スキュー調整ネジ５８は、その先端部がベース１５の主面と直交する方向の支持板２４，５２側から挿入軸４４，４５と当接されると共に、挿入軸４４，４５をコイルバネ５６の付勢方向と反対側から押圧する。したがって、スキュー調整ネジ５８のねじ込み量を調節することによりコイルバネ５６の圧縮状態を変化させることができ、これにより挿入軸４４，４５が軸受部材５１のガイドスリット５４を摺動し、コイルバネ５６及びスキュー調整ネジ５８に支持される位置を任意に調整することができる。
【００５８】
ここで、軸受部材５１を挟持するベース１５及び支持板２４，５２は、図１０に示すように、軸受部材５１側に向かって規制部６０，６１が突設されている。規制部６０，６１は、軸受部材５１に支持されたガイド軸４２，４３の軸本体を構成する大径の両端部４２ａ，４３ａに対応して設けられ、ガイド軸４２，４３の高さ方向の移動範囲を規制するものである。
【００５９】
すなわち、上述したように、光ピックアップ２０は、組み立て時において光学ブロックに対して独自に光軸補正が行われているため、ベースユニット５は、光ピックアップ２０の光学系に関して組み立て精度誤差に基づくスキューマージンを考慮する必要がない。一方で、従来ベースユニット５の各構成部品の精度誤差及びこれら各構成部品が組み付けられたときの組み付け精度誤差は、光ピックアップ２０の光学系に発生する誤差を含めて合計±０．４ｍｍと想定しスキューマージンを確保している。
【００６０】
したがって、予め光学系に対するスキュー調整が行われた光ピックアップ２０を用いたベースユニット５に対しても各構成部品に対して許容される取り付け誤差を合計±０．４ｍｍのスキューマージンを確保すると、光ピックアップ２０の光学系を除くベースユニット５の各構成部品について精度誤差の許容範囲を超えたものが排除されなくなるおそれがある。
【００６１】
そこで、本発明が適用されたベースユニット５では、軸受部材５１を挟持するベース１５及び支持板２４，５２に軸受部材５１側に向かって突設される規制部６０，６１を設け、軸受部材５１に支持されているガイド軸４２，４３の高さ方向への移動範囲を規制している。具体的に、規制部６０，６１は、ガイド軸４２，４３の大径の軸本体部分に対応して設けられ、上述したスキュー調整機構５０によってガイド軸４２，４３の傾き調整が行われることによりガイド軸４２，４３の軸本体部分と当接し、ガイド軸４２，４３の移動範囲を、図１０に示す設計上の初期位置を中心として、高さ方向へ±０．２ｍｍの範囲に規制することができる。
【００６２】
これにより、ベースユニット５は、各構成部品の精度誤差及び組み付け精度誤差の合計が設計値より±０．２ｍｍの範囲で調整されることとなり、この範囲を超えてスキュー調整が必要となるものは排除される。このように、各構成部品の精度及びベースユニット５への組み付け精度の許容範囲を超えた精度のベースユニットを排除することができるため、例えばピックアップベース２８をガイド軸４２，４３に沿って光ディスク２の径方向に移動させるとピックアップベース２８が筐体３のボトムシャーシ６と摺接してしまう等の不具合を回避することができる。
【００６３】
また、規制部６０，６１はガイド軸４２，４３の高さ方向に一対で設けられる。これにより規制部６０，６１は、ガイド軸４２，４３のスキューマージンを合計０．４ｍｍの範囲内に押さえ込むと共に、図１０に示すガイド軸４２，４３の設計上の位置を中心として高さ方向に±０．２ｍｍずつのスキューマージンを取ることができる。
【００６４】
なお、規制部６０，６１が、ガイド軸４２，４３の大径の軸本体部分に対応して形成されているのは、挿入軸４２，４３は軸本体よりも小径に切削加工されていることから、切削工程における公差を考慮すると、大径の軸本体よって移動範囲を規制する方がより正確にスキューマージンを抑えることができるためである。したがって、挿入軸４４，４５の切削工程における公差が問題とならない場合には、規制部６０，６１を挿入軸４４，４５に対応して設けてもよい。
【００６５】
このようなスキュー調整機構５０は、ベース１５に支持板２４，５２と軸受部材５１が取り付けられ光ピックアップ２０のピックアップベース２８を支持するガイド軸４２，４３が取り付けられると共に、スピンドルモータ２３、ターンテーブル２２が組み付けられることによりベースユニット５が組み立てられた後、スキュー調整装置によってガイド軸４２，４３の傾きを調整する。具体的に、スキュー調整機構５０は、光ピックアップ２０の光学系より出射された光ビームをスキュー調整用ディスクに照射させ、その戻り光を検出することにより、スキュー調整用ディスクの信号記録面に対して光ビームが垂直に照射されるようにガイド軸４２，４３の傾きを調整し、光軸の傾きを補正する。
【００６６】
このとき、スキュー調整機構５０は、スキュー調節ネジ５８のねじ込み量を調節することにより、挿入軸４４，４５を反対側から付勢するコイルバネ５６の圧縮状態を変化させ、これにより挿入軸４４，４５を軸受部材５１のガイドスリット５４を高さ方向に移動させる。ここで、上述したように、スキュー調整機構５０による高さ方向への調整範囲は、ベース１５及び支持板２４，５２に設けられた規制部６０，６１により、設計上の初期位置を中心とした±０．２ｍｍの範囲とされているため、この範囲を超えてスキュー高さの調整が必要となるベースユニット５は、光軸補正を行うことができなくさせ、ディスクドライブ装置１の製造ラインより排除することができる。
【００６７】
なお、挿入軸４４，４５は、外周の一部に切り欠き成形された摺接面４４ａ，４５ａがガイドスリット５４を摺動していくため、ガイドスリット５４に挿入された挿入軸４４，４５が軸回り方向に回転することが防止される。また、スキュー調整機構５０により最適なスキュー高さが決定されると、ベース１５に設けられた注入孔及び軸受部材５１の保持孔５３に設けられた開口部５３ａより接着剤が注入される。この接着剤はたとえば  紫外線硬化樹脂等からなり、スキュー調整後に軸受部材５１の保持孔に接着剤を注入し硬化させることで、挿入軸４４，４５の端部の支持位置を強固に固定することができる。
【００６８】
また、上記ベースユニット５においては、ベース１５及び支持板２４，５２に突設された規制部６０，６１によってガイド軸４２，４３の移動範囲を規制したが、本発明が適用されたディスクドライブ装置１においては、ガイド軸４２，４３の移動範囲を規制する規制部を、ガイド軸４２，４３の挿入軸４４，４５を支持する軸受部材に設けてもよい。
【００６９】
かかる軸受部材７０は、図１１に示すように、上記軸受部材５１と同様にベース１５及び支持板２４，５２に挟持されるとともに、支持板２４，５２側からベース１５側へ図示しないビスが挿通されることによりベース１５の下面部に固定されている。そして、軸受部材７０は、挿入軸４４，４５の付勢部材となる上記コイルバネ５６を保持するとともに挿入軸４４，４５が挿入される保持孔７１と、この保持孔７１に臨んで挿入軸４４，４５の高さ方向の移動をガイドするガイドスリット７２と、ガイド軸４２，４３の端部４２ａ，４３ａに当設することにより、挿入軸４４，４５の移動範囲を規制する規制部７３，７４とが設けられている。
【００７０】
保持孔７１は、上記軸受部材５１の保持孔５３と同様の構成を備え、またガイドスリット７２も上記軸受部材５１のガイドスリット５４と同様の構成を備えている。また、規制部７３，７４は、挿入軸４４，４５が挿入された軸受部材７０のガイド軸４２，４３の端部４２ａ，４３ａに対応する位置に設けられ、スキュー調整機構５０によってガイド軸４２，４３の傾き調整が行われることによりガイド軸４２，４３の軸本体部分と当設し、ガイド軸４２，４３の移動範囲を図１１に示す設計上の初期位置を中心とした高さ方向±０．２ｍｍの範囲に規制する。
【００７１】
この規制部７３，７４は、上記規制部６０，６１と同様にガイド軸４２，４３の高さ方向に一対設けられている。また、挿入軸４４，４５の切削工程における公差が問題とならない場合には、挿入軸４４，４５に対応して形成されてもよい。
【００７２】
以上、本発明が適用されたディスクドライブ装置１について説明したが、このディスクドライブ装置１の上記スキュー調整機構５０では、ガイド軸４２，４３を挟んでベース１５側にコイルバネ５６を配置し、支持板２４，５２側にスキュー調整ネジ５８を配置した構成となっているが、それとは逆、すなわちガイド軸４２，４３を挟んでベース１５側にスキュー調整ネジ５８を配置し、支持板２４，５２側のコイルバネ５６を配置した構成とすることも可能である。
【００７３】
また、上記軸受部材５１，７０は、支持板２４，５２と一体形成されたものであってもよい。
【図面の簡単な説明】
【００７４】
【図１】本発明を適用したディスクドライブ装置が搭載されたノート型パーソナルコンピュータを示す斜視図である。
【図２】本発明を適用したディスクドライブ装置のディスクトレイが収納された状態を示す斜視図である。
【図３】本発明を適用したディスクドライブ装置のディスクトレイが引き出された状態を示す斜視図である。
【図４】本発明を適用したディスクドライブ装置の構成を示す分解斜視図である。
【図５】ベースユニットを上面側から見た斜視図である。
【図６】ベースユニットを下面側から見た斜視図である。
【図７】ガイド軸の端部を示す正面図である。
【図８】ピックアップ送り機構の構成を示す平面図である。
【図９】ベースユニットを下面側から見た分解斜視図である。
【図１０】スキュー調整機構の構成を示す軸線方向と直交する方向の断面図である。
【図１１】スキュー調整機構の他の構成を示す軸線方向と直交する方向の断面図である。
【図１２】従来のディスクドライブ装置の構成を示す斜視図である。
【図１３】従来のスキュー調整機構の構成を示す軸線方向の断面図である。
【図１４】従来のスキュー調整機構の構成を示す軸線方向と直交する方向の断面図である。
【図１５】従来のガイド軸の端部の構成を示す斜視図である。
【符号の説明】
【００７５】
１  ディスクドライブ装置、２  光ディスク、５  ベースユニット、１５  ベース、１９  ディスク回転駆動機構、２０  光ピックアップ、２１  ピックアップ送り機構、２２  ターンテーブル、２３  スピンドルモータ、２４  支持板、４２，４３  一対のガイド軸、５０  スキュー調整機構、５１  軸受部材、５３  保持孔、５４  ガイドスリット、５６  コイルバネ、５８  スキュー調整ネジ、６０，６１  規制部
【図１】
2005317133.tif 000003
【図２】
2005317133.tif 000004
【図３】
2005317133.tif 000005
【図４】
2005317133.tif 000006
【図５】
2005317133.tif 000007
【図６】
2005317133.tif 000008
【図７】
2005317133.tif 000009
【図８】
2005317133.tif 000010
【図９】
2005317133.tif 000011
【図１０】
2005317133.tif 000012
【図１１】
2005317133.tif 000013
【図１２】
2005317133.tif 000014
【図１３】
2005317133.tif 000015
【図１４】
2005317133.tif 000016
【図１５】
2005317133.tif 000017